(57)【特許請求の範囲】
【請求項１】
オブジェクトをその属性情報とともに保存、及び、管理する情報処理装置において、
ユーザによる第１及び第２のオブジェクトの選択を受け付ける選択手段と、
ユーザによる操作に応じて、前記第１のオブジェクトの属性情報をコピーする属性情報コピーコマンド、及び、当該コピーされた属性情報を前記第２のオブジェクトに対して付加する属性情報付加コマンドを出力するコマンド出力手段と、
前記属性情報コピーコマンドの出力に応じて、前記第１のオブジェクトに付加された属性情報を保存手段にコピーするコピー手段と、
前記属性情報付加コマンドの出力に応じて、前記第２のオブジェクトに対して前記保存手段にコピーされた属性情報を付加する付加手段とを備え、
前記付加手段は、前記保存手段にコピーされた属性情報を、前記第２のオブジェクトに既に付加されている属性情報に追加することを特徴とする情報処理装置。
【請求項２】
前記オブジェクト又はこれを表すアイコンなどを表示する表示手段を備え、前記コマンド出力手段は、前記表示手段上に表示される、属性情報をコピーするべきオブジェクト又はこれを表すアイコンなどから属性情報を付加するべきオブジェクト又はこれを表すアイコンなどへのドラッグ＆ドロップに応じて、前記属性情報コピーコマンド及び属性情報付加コマンドを出力する請求項１に記載の情報処理装置。
【請求項３】
複数の前記オブジェクトから所望のオブジェクトを検索する検索手段を備え、
該検索手段は前記属性情報をオブジェクトの検索のための検索キーとして用いる前記請求項１または２に記載の情報処理装置。
【請求項４】
オブジェクトをその属性情報とともに保存、及び、管理する情報処理装置により実行される制御方法であって、
ユーザによる第１及び第２のオブジェクトの選択を受け付けるステップと、
ユーザによる操作に応じて、前記第１のオブジェクトの属性情報をコピーする属性情報コピーコマンド、及び、当該コピーされた属性情報を前記第２のオブジェクトに対して付加する属性情報付加コマンドを出力するステップと、
前記属性情報コピーコマンドの出力に応じて、前記第１のオブジェクトに付加された属性情報を所定の保存手段にコピーするステップと、
前記属性情報付加コマンドの出力に応じて、前記第２のオブジェクトに対して前記保存手段にコピーされた属性情報を付加するステップとを備え、
前記付加するステップにおいて、前記保存手段にコピーされた属性情報を、前記第２のオブジェクトに既に付加されている属性情報に追加することを特徴とする制御方法。
【発明の詳細な説明】
【０００１】
【発明の属する技術分野】
本発明は、電子情報を管理する情報処理装置及びそのための制御方法に関する。
【０００２】
【従来の技術】
近年のコンピュータの急激な普及に伴い、人々の扱う電子情報の量も急激に増加した。これらの電子情報を効率よく管理するため、個々の電子情報に属性情報を付加することが行われている。例えばデータベースの分野においては、管理すべき個々のデータ（電子情報）に、キーワードなどの検索キーを属性情報として付加し、この検索キーを用いてデータの検索を行う。
【０００３】
【発明が解決しようとする課題】
従来、上記のような電子情報に対する属性情報の付加は、利用者の手入力により行われていた。このため、大量の電子情報に対して、その各々に属性情報を付加することは、利用者にとって非常に大きな負担となっていた。また、ある電子情報に対して既に付加されている属性情報と同じ属性情報を他の電子情報に付加したい場合、利用者は再度同じ付加作業を繰り返すか、或いは、何らかの方法で既存の属性情報を呼び出し、しかる後これをコピーして、さらに他の電子情報の属性情報として設定するという繁雑な操作を行わねばならなかった。
【０００４】
本発明の目的は、大量の電子情報に対して属性情報を付加する際の利用者の負担を軽減し、かつ、簡便な操作で既存の属性情報を電子情報に付加することのできる情報処理装置及びそのための制御方法を提供することである。
【０００５】
【課題を解決するための手段】
本発明の情報処理装置は、オブジェクトをその属性情報と共に保存、及び、管理する情報処理装置において、ユーザによる第１及び第２のオブジェクトの選択を受け付ける選択手段と、ユーザによる操作に応じて、前記第１のオブジェクトの属性情報をコピーする属性情報コピーコマンド、及び、当該コピーされた属性情報を前記第２のオブジェクトに対して付加する属性情報付加コマンドを出力するコマンド出力手段と、前記属性情報コピーコマンドの出力に応じて、前記第１のオブジェクトに付加された属性情報を保存手段にコピーするコピー手段と、
前記属性情報付加コマンドの出力に応じて、前記第２のオブジェクトに対して前記保存手段にコピーされた属性情報を付加する付加手段とを備え、前記付加手段は、前記保存手段にコピーされた属性情報を、前記第２のオブジェクトに既に付加されている属性情報に追加する。
また、上記情報処理装置は、前記オブジェクト又はこれを表すアイコンなどを表示する表示手段を備え、前記コマンド出力手段は、前記表示手段上に表示される、属性情報をコピーするべきオブジェクト又はこれを表すアイコンなどから属性情報を付加するべきオブジェクト又はこれを表すアイコンなどへのドラッグ＆ドロップに応じて、前記属性情報コピーコマンド及び属性情報付加コマンドを出力することが好ましい。
また、上記何れかの構成よりなる情報処理装置において、複数の前記オブジェクトから所望のオブジェクトを検索する検索手段を備え、該検索手段は前記属性情報をオブジェクトの検索のための検索キーとして用いるものであっても良い。
また、本発明の制御方法は、オブジェクトをその属性情報とともに保存、及び、管理する情報処理装置により実行される制御方法であって、ユーザによる第１及び第２のオブジェクトの選択を受け付けるステップと、ユーザによる操作に応じて、前記第１のオブジェクトの属性情報をコピーするコマンド、及び、当該コピーされた属性情報を前記第２のオブジェクトに対して付加するコマンドを出力するステップと、前記属性情報コピーコマンドの出力に応じて、前記第１のオブジェクトに付加された属性情報を所定の保存手段にコピーするステップと、前記属性情報付加コマンドの出力に応じて、前記第２のオブジェクトに対して前記保存手段にコピーされた属性情報を付加するステップとを備え、前記付加するステップにおいて前記保存手段にコピーされた属性情報を、前記第２のオブジェクトに既に付加されている属性情報に追加する。
尚、ここで「オブジェクト」とは、上記情報処理装置により保存、管理されるべき主体となる電子情報、例えば、テキストや画像データ、又はこれらをまとめたフォルダなどを意味する。また、「属性情報」とは、これら主体としての「オブジェクト」に付加される副次的情報、例えば、検索キー（キーワード、色、形状など）、データの作成者、作成日付、サイズ、コメント、アイコンなどである。
【０００６】
【発明の実施の形態】
以下、添付の図面を用いて本発明の情報処理装置の実施形態について説明する。
図１は、本実施形態の情報処理装置（以下システムという）の構成を示す概略斜視図である。本システムは、グラフィカル・ユーザ・インターフェース（以下、ＧＵＩという）を採用した画像データのデータ管理システムを構成する。このシステムでは、オブジェクトとしての画像データに属性情報として検索キーを付加し、この付加された検索キーを用いて画像データの検索を行えるようになっている。尚、検索キーとしては、画像の特徴を表すキーワードや色、図形等が用いられる。
システムは、中央演算処理装置（以下、ＣＰＵという）を備え、システム全体を制御する制御装置１（コンピュータ）を中心として構成される。ディスプレイ２は、画像あるいは文字などを表示すると共に、操作のための各種画面の表示等を行う。キーボード３及びマウス４は、各種入力、指示操作等を行う。フロッピーディスクドライブ５ｂは、データを記憶及び保管する媒体であるフロッピーディスク５ａへのデータの書き込み及び読み出しを行う。ハードディスク装置６は、入力される画像データとその属性情報を記憶及び保管する。プリンタ７は、図面等を出力する。スキャナ８は、シート状の原稿から画像データを読み取る。ＣＤ−ＲＯＭドライブ９ｂは、大量の画像データが所定のフォーマット形式で格納されたＣＤ−ＲＯＭ９ａから画像データを読み込む。スキャナ８及びＣＤ−ＲＯＭドライブ９ｂにより読み取られた画像データは、ハードディスク装置６に入力される。スピーカ１０は、音声出力を行い、マイクロフォン１１は、音声入力を行う。これらの装置は、それぞれ接続ケーブルを介して制御装置１と接続されている。また、図に示す矢印は、本システムにおけるデータの流れを示す。なお、これらの装置は、制御装置１に内蔵され一体に形成されても良い。
【０００７】
図２は、制御装置１を中心としたブロック図である。制御装置１は、例えばインテル社製の品番ｉ８０４８６ＤＸ等のＣＰＵ２０１を中心として構成され、ＣＰＵ２０１に接続されるデータバス２２０を介して、本発明にかかる属性情報コピー処理などのプログラムを記憶するＲＯＭ２０３、処理に必要な属性情報のデータ等を一時的に記憶するＲＡＭ２０４、画像あるいは文字等の表示をディスプレイ２に行う表示制御回路２０５、キーボードからの入力を転送制御するキーボード制御回路２０６、マウス４からの入力を転送制御するマウス制御回路２０７、フロッピーディスクドライブ５ｂを制御するフロッピーディスクドライブ制御回路２０８、ハードディスク装置６を制御するハードディスク制御回路２０９、プリンタ７への出力を制御するプリンタ制御回路２１０、スキャナ８を制御するスキャナ制御回路２１１、ＣＤ−ＲＯＭドライブ９ｂを制御するＣＤ−ＲＯＭドライブ制御回路２１２、スピーカへの音声出力を制御するスピーカ制御部２１３、及び、マイクロフォン１１を制御するマイクロフォン制御回路２１４がそれぞれ接続される。また、ＣＰＵ２０１には、本システムを動作させるのに必要な基準クロックを発生するためのクロック２０２が接続され、さらにデータバス２２０を介して各種拡張ボードを接続するための拡張スロット２１５が接続される。なお、拡張スロット２１５にＳＣＳＩボードを接続し、このＳＣＳＩボードを介してフロッピーディスクドライブ５ｂ、ハードディスク装置６、スキャナ８、ＣＤ−ＲＯＭドライブ９ｂ等を接続しても良い。
上記システムにおいて、データを保管する媒体としてフロッピーディスク５ａ及びハードディスク装置６を使用するが、光磁気ディスク等の他の記憶媒体を用いても良い。また、画像データの入力装置として、スキャナ８及びＣＤ−ＲＯＭドライブ９ｂを使用するが、スチルビデオカメラやディジタルカメラ等の他の入力装置を用いても良い。また、出力装置としてはプリンタ７を用いるが、これはディジタル複写機等の他の出力装置を用いても良い。また、本システムでは、上記の属性情報コピー処理などのプログラムをＲＯＭ２０３に記憶する。しかし、本プログラムの一部又は全部をフロッピーディスク５ａやハードディスク装置６等のデータ記憶媒体に保管しておき、必要に応じてデータ記憶媒体よりプログラム及びデータをＲＡＭ２０４に読み込ませ、これを実行させても良い。また、本システムでは、外部入力装置からハードディスク装置６に入力され、記憶された画像データを管理するようにしているが、これをＣＤ−ＲＯＭ９ａに記憶されている画像データを直接管理するようにしても良い。この場合、ＣＤ−ＲＯＭ９ａに記憶されている画像データを示すインデックスデータに対して属性情報を付加してハードディスク装置６に記憶する（なお、インデックスデータと、属性情報のセットをレコードと呼ぶ）。検索時には、まずこのレコードが検索結果として抽出され、その後レコードのインデックスデータに基づいてＣＤ−ＲＯＭ９ａからオブジェクト本体を読み出す。
本システムにおいては、画像データを管理対象（オブジェクト）としているが、これは静止画像データ、動画像データ、文字データ、音声データ、あるいは、これらデータの組み合わせであるマルチメディアデータであってもよい。更に、これらのデータをまとめるフォルダをオブジェクトとしても良いし、ネットワークが組まれている場合には、各コンピュータ自体をオブジェクトとして取り扱っても良い。
【０００８】
以下、制御装置１の備えるＣＰＵ２０１の実行する制御処理の内容について説明する。ＣＰＵ２０１は、ＲＯＭ２０３に記憶されている制御プログラムに基づいて、検索キーを用いた検索処理の他、ある画像データに対してコマンドを出力することにより、この画像データに付加されているすべての検索キー（属性情報）をＲＡＭ２０４にコピーする処理、さらに、このＲＡＭ２０４上の検索キーを別の画像データに付加する処理を行う。以下、検索処理について簡単に説明した後に、属性情報のコピー処理について説明する。
図３は、ディスプレイ２に表示される初期設定画面を示す。初期設定画面は、３つのウィンドウ２２，２４，２６から構成される。ウィンドウ２２内には、ハードディスク装置６に記憶されている画像データのうち、属性情報として検索キーが既に付加されている画像データのアイコンを一覧表示する。一覧表示される各画像データには、検索キーとして、画像の特徴を表すキーワード、色、図形などのデータが付加されている。利用者が１以上の検索キーを選択した後に、検索開始を指示した場合には、ハードディスク装置６に記憶する画像データの中から、選択した検索キーのうちの少なくとも１つを属性情報として有する画像データを検索し、該当する画像データのみをウィンドウ２２内に一覧表示する。ウインドウ２６には、ハードディスク装置６に書き込まれた画像データの内、まだ属性情報として検索キーの付加されていない画像データのアイコンが一覧表示される。また、ウィンドウ２４内には、実行する処理の内容を選択、指示するためのメニュー画面を表示する。
図４は、ＣＰＵ２０１の実行するプログラムのメインルーチンを示すフローチャートである。システムの電源が投入され、プログラムが起動すると、まず、各処理で必要な変数等の初期化、及び、ディスプレイ２上への初期設定画面（図３を参照）の表示を行う（ステップＳ１）。利用者によるメニュー選択、若しくは、ドラッグ＆ドロップといったアクションに応じてイベントが発生している場合には、そのイベントに応じる処理を行う（ステップＳ２）。図３に示す設定画面中、ウィンドウ２４内に示すメニュー画面の中から「属性情報コピー」のメニュー２５が選択された場合、すなわち、属性情報コピーのコマンドが出力された場合、ウィンドウ２２内において選択されている画像データに付加されている属性情報のデータを、一時的にＲＡＭ２０４に格納する属性情報コピー処理を実行した後に（ステップＳ３）、ステップＳ７へと進む。設定画面中、「属性情報付加」のメニュー２８が選択された場合、すなわち、属性情報付加コマンドが出力された場合、ウィンドウ２６内において選択されている画像データに、ＲＡＭ２０４に格納されている属性情報のデータを付加する属性情報付加処理を実行した後に（ステップＳ４）、ステップＳ７へと進む。その他のメニューが選択された場合には、その他のメニューに対応する処理を実行した後に（ステップＳ５）、ステップＳ７へと進む。マウス４の操作により、ウィンドウ２２に表示する画像データのアイコンからウィンドウ２６に表示する画像データのアイコンへのドラッグ＆ドロップが行われた場合には、ドラッグ＆ドロップ処理を実行する（ステップＳ６）。なお、このドラッグ＆ドロップ処理については後に詳しく説明する。何のイベントも発生していない場合には、直ちにその他の処理（ステップＳ７）へと進む。ステップＳ７におけるその他の処理が終了した場合には、ステップＳ２へと戻る。なお、ステップＳ５及びステップＳ７において実行する処理の内容は、従来のデータベース管理システムで実行する検索処理等と同じであり、また、本発明のデータベース管理システムに直接関係しないため、ここでの説明は省略する。
【０００９】
図５は、属性情報コピー処理（図４、ステップＳ３）のフローチャートである。キーボード３又はマウス４の操作によりウィンドウ２２内に一覧表示された画像データの内の１つ（例えばアイコンＧ６）が選択されている場合（ステップＳ３１でＹＥＳ）、選択中の画像データに付加されているすべての属性情報のデータ、本システムでは検索キーのデータを一括して抽出してＲＡＭ２０４に格納する（ステップＳ３２）。この後、メインルーチンへとリターンする。また、ウィンドウ２２内の画像データが選択されていない場合には（ステップＳ３１でＮＯ）、直ちにメインルーチンへとリターンする。
【００１０】
図６は、属性情報付加処理（図４、ステップＳ４）のフローチャートである。キーボード３又はマウス４の操作によりウィンドウ２６に一覧表示された属性情報の付加されていない画像データ（例えば画像データＨ３）が選択されている場合（ステップＳ４１でＹＥＳ）、バッファとして用いられるＲＡＭ２０４に、属性情報のデータ、本システムでは検索キーのデータが記憶されているか否かを調べる。ここで、ＲＡＭ２０４に検索キーのデータが記憶されている場合には（ステップＳ４２でＹＥＳ）、選択されている画像データに、ＲＡＭ２０４に書き込まれている検索キーのデータを属性情報のデータとして付加する（ステップＳ４３）。選択されている画像データがない場合（ステップＳ４１でＮＯ）、直ちにメインルーチンへリターンする。ステップＳ４３における処理の終了後、又は、ＲＡＭ２０４に属性情報のデータが書き込まれていない場合（ステップＳ４２でＮＯ）、手入力により、一件ずつ検索キーを追加又は削除する従来より実行されている属性情報入力処理を実行する（ステップＳ４４）。この後に、メインルーチンへとリターンする。
なお、属性情報のコピー先として既に検索キーの付加されている画像データを選択した場合に、ＲＡＭ２０４に記憶する検索キーを既存の検索キーに追加しても良いし、検索キーを全てＲＡＭ２０４上の検索キーに更新しても良い。
【００１１】
図７は、ハードディスク装置６のデータ構造の概略を示す図である。図示するように、ハードディスク装置６内には、登録された各画像データＨ１，Ｈ２，…のデータを格納する画像データの格納領域６０と、これらの各画像データに属性情報として付加された検索キーのデータ、例えば、キーワードｈ１，ｈ２，…のデータを格納する領域６１とが設けられる。例えば、図３に示す設定画面において、画像データＧ６を選択して「属性情報のコピー」のメニュー２５の選択を行い、更に、画像データＨ３を選択して「属性情報付加処理」のメニュー２８の選択を行った場合を考える。この場合、画像データＧ６に属性情報として付加されている検索キーのデータ、例えば、キーワードｇ６−１，ｇ６−２，…のデータが、バッファとして使用されるＲＡＭ２０４に一時的に記憶された後、ハードディスク装置６内の画像データＨ３に対応する属性情報の格納領域６１に書き込まれる。
【００１２】
また、上に説明するように、「属性情報コピー」のメニュー２５の選択、及び、「属性情報付加処理」のメニュー２８の選択を、ディスプレイ２上に表示されるメニュー画面をキーボード３又はマウス４により操作して行う以外に、ディスプレイ２上に表示される画像データのアイコンをマウス４によりドラッグ＆ドロップすることにより実行しても良い。
図８は、ドラッグ＆ドロップにより属性情報のコピーを実行する場合の具体例を示す図である。（ａ）は、マウス４を操作してマウスカーソルをディスプレイ２上に表示される第１画像データのアイコンに合わし、マウスボタンを押すことで、当該データを選択した状態を示す。（ｂ）は、選択した第１画像データのアイコンを、ドラッグ（マウスボタンを押した状態を保持したままマウス操作することにより、選択したアイコンを移動させる）している状態を示す。（ｃ）に示すように、第１画像データのアイコンが第２画像データのアイコンの上に重ねられた場合、当該第２画像データが選択される。この位置でマウスボタンを放すことにより、第１画像データのアイコンを第２画像データのアイコン上にドロップする。
ＣＰＵ２０１は、図４に示すメインルーチンの中で、ドラッグ＆ドロップによるイベントの発生に応じて（ステップＳ２）、図９に示すドラッグ＆ドロップ処理（ステップＳ６）を実行する。ドラッグ＆ドロップ動作（イベントの発生）は、アイコンをドラッグ後にドロップしたタイミングで検出される。ドラッグ＆ドロップ動作が検出され、ドラッグ＆ドロップ処理ルーチンがコールされた場合、属性情報コピー処理（ステップＳ６１）を実行した後、直ちに属性情報付加処理を実行する（ステップＳ６２）。すなわち、ドラッグ＆ドロップにより属性情報コピーコマンドと属性情報付加コマンドとが同時に出力され、これにより、第１画像データの属性情報のＲＡＭ２０４への書き込みと、ＲＡＭ２０４に書き込まれた属性情報の第２画像データへの付加が連続して行われる。なお、ステップＳ６１で実行する属性情報コピー処理は、図５に示すステップＳ３の処理と同じであり、ステップＳ６２で実行する属性情報付加処理は、図６に示すステップＳ４の処理と同じである。このため、ここでの重複した説明は省く。なお、第１画像データのアイコンを第２画像データのアイコン上にドロップした際に、属性情報のコピーを行うか否かを選択できるようにしても良い。また、ディスプレイ２上でドラッグ＆ドロップする対象はアイコンに限られず、画像データを示す文字、或いは、画像データそのものの一部又はこれを縮小したもの等でも良い。
本システムは、属性情報をコピーする場合、選択された画像データの属性情報のすべてをＲＡＭ２０４に記憶するようにしているが、その一部を選択して記憶するようにすることも考えられる。
【００１３】
本システムの変形例として、属性情報としてコメントの付加された文書ファイルをオブジェクトとする場合について考える。この場合、当該文書ファイルを示すアイコンを選択し、コピー先の文書ファイルのアイコンへとドラッグ＆ドロップすることで、ファイルをドロップした文書ファイルに同一内容のコメントを付加することができる。これにより、各ファイルに同じ内容のコメントを繰り返し入力する手間を省くことができる。なお、コピー先のファイルは画像データファイル、及び、その他の種類のファイルであっても良い。
また、本システムの別の変形例として、システムがサーバとして、サーバ・クライアント方式のネットワーク上にある場合について考える。このシステムでは、ディスプレイ２上に表示されるクライアントのアイコンをオブジェクトとして選択し、コピー先のクライアントのアイコンへとドラッグ＆ドロップを行うことで、属性情報として、アクセス可能なユーザＩＤや、クライアントがアクセス可能なファイルの種類などをコピーする。これにより、新規に接続したクライアントについて多数の設定項目を繰り返し入力するのではなく、他のクライアントに設定されている内容を元にその一部を修正するだけで良くなり、サーバの利用者の手間を削減することができる。
【００１４】
【発明の効果】
本発明の情報処理装置及びそのための制御方法では、オブジェクトを選択し、この選択されたオブジェクトに対して、属性情報をコピーするコマンドを出力することにより、選択されたオブジェクトに付加されている属性情報が保存手段にコピーされる。また、属性情報を付加するべきオブジェクトを選択し、この選択されたオブジェクトに対して、属性情報を付加するコマンドを出力することにより、保存手段上の属性情報を選択されたオブジェクトに付加するようにする。このとき、保存手段上の属性情報を、既存の属性情報に追加して付加する。上記の構成の情報処理装置及びそのための制御方法によれば、あるオブジェクトに対して、他のオブジェクトに付加されている属性情報と同じ属性情報を付加する際、オブジェクトを選択してコマンドを出力するという簡便な操作によりこれを実現することができる。これは、大量のデータ（オブジェクト）を管理するデータベース管理システムにおいて、これらのデータそれぞれに検索キーとして属性情報を付加するような場合に、特に有効である。
【図面の簡単な説明】
【図１】本実施形態の情報処理装置の構成を示す概略斜視図である。
【図２】システムを構成する制御装置を中心としたブロック図である。
【図３】ディスプレイに表示される設定画面の一例を示す図である。
【図４】データベースプログラムのメインルーチンを示す図である。
【図５】属性情報コピー処理ルーチンのフローチャートである。
【図６】属性情報付加処理ルーチンのフローチャートである。
【図７】検索キーとしてキーワードの付加された各画像データを格納するハードディスク装置のファイル構造の概略を示す図である。
【図８】ドラッグ＆ドロップにより属性情報のコピー及び付加を実行する場合の一例を示す図である。
【図９】ドラッグ＆ドロップ処理ルーチンのフローチャートである。
【符号の説明】
１…制御装置
２…ディスプレイ
３…キーボード
４…マウス
５ａ…フロッピーディスク
５ｂ…フロッピーディスクドライブ
６…ハードディスク装置
７…プリンタ
８…スキャナ
９ａ…ＣＤ−ＲＯＭ
９ｂ…ＣＤ−ＲＯＭドライブ
１０…スピーカ
１１…マイクロフォン
２０１…ＣＰＵ
２０２…データバス
２０３…ＲＯＭ
２０４…ＲＡＭ
【図１】
0003612387.tif 000002
【図２】
0003612387.tif 000003
【図３】
0003612387.tif 000004
【図４】
0003612387.tif 000005
【図５】
0003612387.tif 000006
【図６】
0003612387.tif 000007
【図７】
0003612387.tif 000008
【図８】
0003612387.tif 000009
【図９】
0003612387.tif 000010